(57)【要約】【課題】排雪板による除雪作業の作業効率を向上させる除雪機を提供する。【解決手段】走行部の前部に掻込みオーガ１９やブロワ１７等を配置した除雪部１１の前部に、着脱可能、かつ、上下回動可能に排雪板４０を設け、排雪板４０を左右回動可能に構成した除雪機１０において、排雪板４０の左右両側に側板７０・７０を着脱可能に取り付けた。側板７０・７０の下端に前後方向に延びる下辺７０ｃ・７０ｃを有し、下辺７０ｃ・７０ｃは排雪板４０の下端より所定長さ前方に位置し、下辺７０ｃ・７０ｃの前端より前辺が垂直上方に延びる構成とした。【選択図】図１
2007126860.tif 000002
【特許請求の範囲】
【請求項１】
走行部の前部に掻込みオーガやブロワ等を配置した除雪部の前部に、着脱可能、かつ、上下回動可能に排雪板を設け、該排雪板を左右回動可能に構成した除雪機において、該排雪板の左右両側に側板を着脱可能に取り付けたことを特徴とする除雪機。
【請求項２】
前記側板の下端より所定長さ前方に延びる下辺を設けたことを特徴とする請求項１に記載の除雪機。
【発明の詳細な説明】
【技術分野】
【０００１】
本発明は、走行部の前部に掻込みオーガ、ブロワ、シュータ等を装備する除雪部を配置し、該除雪部の前部に排雪板を配置する除雪機の技術に関する。
【背景技術】
【０００２】
従来から、走行部の前部に掻込みオーガ、ブロワ、シュータ等を装備する除雪部を配置し、該除雪部の前部にブレード等の排雪板（ドーザ）を配置した除雪機は公知となっている。例えば、特許文献１に記載の如くである。
このような除雪機は一台で、走行しながら掻込みオーガの回転により、雪を砕きながら中央部に集めて、ブロワの回転によりシュータから側方等に跳ね飛ばす除雪作業と、除雪部の代わりに該除雪部の前部に配置した排雪板により、走行しながら積もった雪を押し除く除雪作業が可能であり、積雪状況および周辺環境等に合わせて排雪板による除雪作業と掻込みオーガ等による除雪作業を切り替えることが可能である。
【特許文献１】特開２００５−１３９６６６号公報
【発明の開示】
【発明が解決しようとする課題】
【０００３】
しかし、排雪板による除雪作業では、排雪板の左右両側から雪のこぼれが多いため雪の集まりが悪く、また、排雪板により押し除かれた雪が横に残った雪と付着することにより除雪機の走行を妨げる等、作業効率が悪かった。
【０００４】
本発明は以上の如き状況に鑑み、排雪板による除雪作業の作業効率を向上させる除雪機を提供する。
【課題を解決するための手段】
【０００５】
本発明の解決しようとする課題は以上の如くであり、次にこの課題を解決するための手段を説明する。
【０００６】
すなわち、請求項１においては、走行部の前部に掻込みオーガやブロワ等を配置した除雪部の前部に、着脱可能、かつ、上下回動可能に排雪板を設け、該排雪板を左右回動可能に構成した除雪機において、該排雪板の左右両側に側板を着脱可能に取り付けたものである。
【０００７】
請求項２においては、前記側板の下端より所定長さ前方に延びる下辺を設けたものである。
【発明の効果】
【０００８】
本発明の効果として、以下に示すような効果を奏する。
【０００９】
請求項１においては、排雪板の左右両側からの雪のこぼれが少なく、排雪板により押し除かれる雪に横に残る雪が付着することを防ぐとともに、雪をロール状に除雪できて一度に排雪板高さより高い雪まで集められる。また、排雪板を傾斜させて雪を左右に排出する場合には、排雪板に取り付けられている側板を容易に取り外すことができ、また、容易に取り付けることができる。例えば、左側に雪を排出する場合には、左側の側板を取り外して排雪板を左側に傾斜させ、右側に雪を排出する場合には、右側の側板を取り外して排雪板を右側に傾斜させる。
【００１０】
請求項２においては、前記側板を前方に長く伸ばすことにより、多くの雪を除雪することができ、その側部の未除雪の雪に付着する等の悪影響を抑えることができる。
【発明を実施するための最良の形態】
【００１１】
次に、発明の実施の形態を説明する。
図１は側板を取り付けた排雪板を具備したホィール型の除雪機の側面図、図２は側板を取り付けた排雪板を具備したクローラ型の除雪機の側面図、図３は側板を取り付けた排雪板の側面図、図４は側板を取り付けた排雪板の斜視図、図５は側板を取り付けた排雪板を具備した除雪機の除雪状況を示した図、図６は側板を取り付けていない排雪板を具備した除雪機の除雪状況を示した図、図７は排雪板の前後回動取付部の第一実施例を示す平面図、図８は排雪板の前後回動取付部の第二実施例を示す平面図、図９は同じく側面図、図１０はレバー軸と固定板の正面図である。
【００１２】
まず、除雪機１０の全体構成について説明する。
図１に示すように、除雪機１０は機体前部に配設された除雪部１１と、該除雪部１１の後方に配設された駆動部１２と、該駆動部１２の下方に配設された走行装置１３と、駆動部１２の後方であって機体後部に配設された運転操作部１４とで構成されている。該駆動部１２と走行装置１３と運転操作部１４とにより走行部を構成している。
【００１３】
前記除雪部１１には、機体フレーム１５の前部に連設されたブロワハウジング１６に内設されたブロワ１７と、該ブロワハウジング１６の前方に連設されたオーガハウジング１８にその回転軸が左右方向となるように内設された掻込みオーガ１９と、該ブロワハウジング１６の上方に水平旋回可能に立設されたシュータ２１とが具備されている。該ブロワハウジング１６の上面において、左右中心より一側に偏心して上方へパイプ状の吐出口１６ａが突出され、該吐出口１６ａの上端にシュータ２１基部（下部）が回転自在に嵌合されている。
【００１４】
前記シュータ２１の上下中途部の後面には、操作部近傍まで後方に延出されたハンドル３７が取り付けられ、該ハンドル３７を左右方向に回動することによりシュータを旋回させて投雪方向を変更できるようにしている。
【００１５】
そして、上述の如く構成される除雪部１１において、掻込みオーガ１９でオーガハウジング１８の左右略中央方向へ掻き込まれた雪は、ブロワ１７によって上方へ跳ね飛ばされ、シュータ２１によってその方向がガイドされて任意の方向へ排出できるようにしている。該シュータ２１上端にはキャップ３６を設けて前記ハンドル３７とリンク等を介して連結し、該ハンドル３７の操作でキャップ３６を上下回動可能とし、投雪距離を調節可能としている。つまり、該ハンドル３７は投雪方向と投雪距離を変更するための手段を兼用している。
【００１６】
前記駆動部１２では、機体フレーム１５に変速装置が内設され、該機体フレーム１５の上部にはエンジン２２が載置されている。エンジン２２の動力は出力軸２２ａより出力され、除雪部１１及び走行装置１３にベルトやプーリー等の動力伝達手段を介して伝達される。除雪部１１に伝達された動力により、ブロワ１７及び掻込オーガ１９が回転駆動される。また、走行装置１３に伝達される動力は、変速装置において変速されたのち、駆動軸２３に伝達され、駆動軸２３に固定された左右の車輪２７・２７が回転駆動される。
【００１７】
ただし、走行装置１３は図１に示すように、ホィール型であってもよく。また、図２に示すように、クローラ型であってもよい。クローラ型の場合には、図２に示すように、前記機体フレーム１５の下部に駆動軸２３が左右水平方向に回動可能に横架支承され、該駆動軸２３の両側に駆動スプロケット２５・２５が嵌装固定される。前記機体フレーム１５の後部には、従動スプロケット２６・２６が嵌装された後車軸２４が回動可能に横架支承されている。そして、駆動スプロケット２５と従動スプロケット２６には無端クローラベルト３１が巻回されてクローラが構成されており、この左右一対のクローラによって、駆動軸２３の回転駆動により走行駆動されるクローラ式走行装置１３が構成されている。
【００１８】
前記運転操作部１４では、前記機体フレーム１５の両側後部より斜め後上方に操向ハンドル３２が突出され、該操向ハンドル３２は平面視Ｕ字状に構成して、該操向ハンドル３２の上部間にはデッドマンレバーを兼ねる主クラッチレバー３５が配置され、また、操向ハンドル３２の一側には、エンジン２２から除雪部１１への伝動の入切操作を行うための除雪クラッチレバー３９が配置されている。また、操向ハンドル３２間に操作ボックス３３が横架され、該操作ボックス３３に変速装置による変速操作を行うための走行変速レバー３８が配設されている。
【００１９】
また、主クラッチレバー３５と除雪クラッチレバー３９は、いずれも操向ハンドル３２の近傍に設けられており、走行クラッチレバー３５と除雪クラッチレバー３９はいずれもクラッチＯＦＦ操作位置に付勢され、除雪クラッチレバー３９は除雪クラッチＯＮ操作位置でロックすることができるものとされている。
【００２０】
次に、排雪板４０および該排雪板４０の取付構成について説明する。
図３において、排雪板４０は左右方向に凹曲面を形成した板体を前記除雪部１１の左右幅よりも長く構成して、機体幅以上の除雪作業を可能としている。該排雪板４０の後面の左右中央、かつ、上下略中央から後方に、取付板４１・４１が水平方向に突設され、該取付板４１・４１間に側面視コ字状のブラケット４２が後方より嵌合され、後述するようにボルト６１またはピン６２ａ等を上下方向に挿通して固定され、排雪板４０の左右角度を変更可能とするように構成されている。また、後述するように排雪板４０の左右両側には側板７０・７０が取り付けられている。
【００２１】
前記ブラケット４２の後部には平面視コ字状のアーム４３の左右中央部が固設され、該アーム４３の両側が前記オーガハウジング１８の外側面に上下回動可能に枢支されている。該アーム４３の両側には支持プレート４３ａ・４３ａが設けられ、該支持プレート４３ａに枢支孔４３ｂが開口され、該枢支孔４３ｂに固定レバー４４（図１）のネジ部が挿入され、オーガハウジング１８の側面に固定した取付プレート４５に固定レバー４４が螺装固定される。つまり、固定レバー４４を弛めることにより排雪板４０を上下昇降自在とし、固定レバー４４を締め付けることにより任意の高さで保持固定することができる。
【００２２】
また、前記支持プレート４３ａの下部には、切欠４３ｃが形成され、一方、取付プレート４５からはストッパーピン４６が側方に突設され、排雪板４０を最下降したときにストッパーピン４６が切欠４３ｃに嵌合するようにしている。
このようにして、除雪作業時に、排雪板４０を上下昇降自在としたときに、排雪板４０の下端の高さを掻込みオーガ１９の下端と略同じ高さとすることができ、地表面に追随させることができ、非作業時等で除雪部１１を持ち上げた時に、ストッパーピン４６が切欠４３ｃに嵌合して所定高さからは下降できないようにして、排雪板４０も持ち上げられるようにしている。
【００２３】
また、図３に示すように、排雪板４０の後側上部の左右一側または両側に、排雪板４０を持ち上げて、上方へ格納した状態に保持しておくためのガイド板８０が設けられている。
アーム４３の左側部材の前方上面に取付ピン８１が左右水平方向に設けられ、ガイド板８０の一端に設けられた取付孔８０ａが、アーム４３の内側から取付ピン８１に取り付けられて軸支されている。ガイド板８０の回動は、前方向にはアーム４３の前側部材の上面に当接することにより、また後方向には支持プレート４３ａの上面に当接することにより制限されている。
そして、ガイド板８０の中途部には切欠８０ｂが設けられ、一方、オーガハウジング１８の上外側面の後部には切欠８０ｂの係止部材となる係止ピン（またはボルト）５２が、水平方向外側に向けて突設され切欠８０ｂに係合可能に構成している。なお、取付ピン８１の端部は取付孔８０ａよりも若干大きく径が構成されているため、ガイド板８０が抜け落ちることはない。また、ガイド板８０を係止ピン５２に係合した状態では前記取付ピン８１と係止ピン５２が略水平状態となるように構成している。
【００２４】
このように構成することで、排雪板４０とガイド板８０を持ち上げて、ガイド板８０が取付ピン８１を軸として回動し、切欠８０ｂを係止ピン５２に嵌合させることにより、排雪板４０は略水平方向を向き、掻込みオーガ１９の上方に位置させて保持することができ、掻込みオーガ１９により除雪作業をする場合に、排雪板４０が邪魔にならず、シュータ２１の前方に低い姿勢で保持され、前方の視界を妨げることもないようにしている。
なお、本実施例では切欠８０ｂは一つであるが複数設けることも可能であり、複数設けることにより排雪板４０の保持高さを変更可能とすることもできる。
【００２５】
また、排雪板４０による除雪量を調節できるように構成することもできる。
例えば、排雪板４０の後方の左右両側に、ローラーまたはソリを上下位置が調節できるように取り付けることにより、接地面からの排雪板４０の上下位置を調節できるようにする。なお、除雪機１０の走行抵抗および旋回抵抗の低減のためにはローラーの方が好ましい。また、排雪板４０の前側下端に取り付けられているブレード４０ｂを上下位置が調節できるように、例えば、排雪板４０に取り付けるためにブレード４０ｂに設けられているボルト孔を上下方向に長い孔とする等により、積雪面からの排雪板４０の上下位置を調節できるようにする。
【００２６】
このように構成することで、該ローラー（または該ソリ）と、ブレード４０ｂを組み合わせて、若しくはそれぞれ単独で用いて、排雪板４０の上下位置を調節できるようにすることにより、除雪板４０による除雪量を調節することができる。なお、該ローラー（または該ソリ）と、ブレード４０ｂを組み合わせて用いた方が、それぞれ単独で用いるよりも排雪板４０の上下位置をより細かく調節することができる。さらに、ストッパーピン４６をボルトとし、該ボルトに切欠４３ｃを嵌合させて固定できるようにすることにより、排雪板４０の上下位置を固定し、除雪作業時に排雪板４０が上方に浮き上がるのを防ぎ、前記調節した除雪量を維持することができる。
【００２７】
次に、側板７０・７０について説明する。
図４に示すように、側板７０・７０は排雪板４０の左右両側に前後方向略垂直に取り付けられ、排雪板４０と側板７０・７０により、略コ字状の除雪範囲を形成している。なお、側板７０・７０の先端を、若干外側に傾斜（平面視において前方に末広がりのハ字状）させて排雪板４０に取り付けることにより、側部の未除雪の雪が側板７０・７０の両外側に付着して走行の抵抗となることを低減し、走行を安定させることができる。前記側板７０・７０は高さが排雪板４０の高さと略同じ長さであり、また、前後方向の長さは排雪板４０よりも長く、側板７０・７０の前端は排雪板４０よりも前方に位置している。すなわち、側板７０・７０の下端に前後方向に延びる下辺７０ｃ・７０ｃを有し、該下辺７０ｃ・７０ｃは排雪板４０の下端より所定長さ前方に位置し、該下辺７０ｃ・７０ｃの前端より前辺が垂直上方に延びる構成としている。該下辺７０ｃ・７０ｃを前方へ長くするほど除雪した雪量を多くすることができる。
側板７０の後部側面には、上下方向に略均等間隔に取付孔７０ａ・７０ａ・７０ａが設けられている。一方、排雪板４０の左右両側には取付孔７０ａ・７０ａ・７０ａと一致する位置に、取付孔４０ａ・４０ａ・４０ａが左右に３箇所ずつ設けられている。そして、側板７０の取付孔７０ａ・７０ａ・７０ａと排雪板４０の取付孔４０ａ・４０ａ・４０ａを一致させて、ボルト７０ｂ・７０ｂ・７０ｂを挿入し、ボルト７０ｂ・７０ｂ・７０ｂを締め付けることにより、側板７０を排雪板４０に取り付けることができる。反対に、ボルト７０ｂ・７０ｂ・７０ｂを緩めることにより、側板７０を排雪板４０から取り外すことができる。なお、ボルトの取付位置および個数は限定するものではない。
【００２８】
このように構成することで、図５に示すように、側板７０・７０を取り付けた排雪板４０を具備した除雪機１０では、排雪板４０の左右両側からの雪のこぼれが少なく、排雪板４０により押し除かれた雪と、横に残った雪が付着することを防ぐとともに、雪をロール状に除雪できて一度に排雪板高さより高い雪９０まで集められる。また、排雪板４０を前後方向に傾斜させて雪を左右に排出する場合には、排雪板４０に取り付けられている側板７０・７０を容易に取り外すことができ、また、容易に取り付けることができる。例えば、左側に雪を排出する場合には、左側の側板７０を取り外して排雪板４０を左側に傾斜させ、右側に雪を排出する場合には、右側の側板７０を取り外して排雪板４０を右側に傾斜させる。
一方、図６に示すように、側板を取り付けていない排雪板４０を具備した除雪機１０では、排雪板４０の左右両側から雪９０のこぼれが多いため雪の集まりが悪く、排雪板４０の側方に雪が残り、何度も往復して除雪する必要があり効率が悪かった。
なお、本実施例では側板７０・７０をボルトにより排雪板４０に取り付けているが、容易に着脱可能であれば取付方法は特に限定しない。例えば、側板７０の内面に平面視略Ｔ字状の断面を有する凸部を上下方向に形成し、一方、排雪板４０の左右両側の外面に、該凸部に一致する凹部を上下方向に形成することにより、該凸部に該凹部を嵌合させて側板７０を排雪板４０に上方から着脱できるように構成することも可能である。
【００２９】
次に、前記排雪板４０の左右角度を変更可能とする構成について説明する。
まず、前記排雪板４０の背面に設ける取付板４１・４１とブラケット４２をボルト６１・６１で固定する実施例から説明する。
【００３０】
図７に示すように、前記取付板４１・４１上には左右回動中心Ｏ１に対して、左右両側に固定孔４１ａ・４１ａ・・・が同円周上で、所定角度毎に複数開口されている。一方、ブラケット４２の左右両側にも前記固定孔４１ａ・４１ａの左右間隔に合わせて固定孔４２ａ・４２ａが左右二箇所開口されている。
【００３１】
そして、左右の固定孔４１ａ・４１ａと固定孔４２ａ・４２ａの位置を合わせてボルト６１・６１を挿入してナットで固定するようにしている。排雪板４０の左右（向き）角度を変更したい場合には、ボルト６１・６１を抜いてから所望の角度に変更して、左右の固定孔４１ａ・４１ａと固定孔４２ａ・４２ａの位置を合わせてボルト６１・６１を挿入してナットで固定するのである。但し、中心Ｏ１に枢支孔を開口してピンにより枢支して、回動時に取付板４１・４１とブラケット４２がずれないようにガイドするように構成することもできる。
【００３２】
このように構成することにより、ボルト６１・６１と固定孔４１ａ・４１ａと固定孔４２ａ・４２ａの挿入位置を変更することにより容易に排雪板４０の左右角度を変更することが可能となり、例えば、排雪板４０の斜め前方右側に向けて位置するように傾斜させることで、除雪機を前進させて除雪作業を行うと、除雪した雪は排雪板４０に沿って右側へ押し除けることが可能となるのである。
【００３３】
前記排雪板４０を左右角度を変更可能とする第二実施例について説明する。
図８、図９、図１０に示すように、前記排雪板４０の背面に設けた取付板４１・４１とブラケット４２にはそれぞれ前記同様に固定孔４１ａ・４１ａ・・・と固定孔４２ａ・４２ａが開口されている。そして、回動中心Ｏ１の取付板４１・４１とブラケット４２にも枢支孔４１ｂ・４１ｂ・４２ｂ・４２ｂが開口されている。
そして、固定板６２に設けたピン６２ａ・６２ａを前記固定孔４１ａ・４１ａ・４２ａ・４２ａに嵌合することにより所望の角度で固定できるようにしている。
【００３４】
即ち、矩形状の板体を側面視コ字状に折り曲げて固定板６２を構成し、該固定板６２の開放側を上向きとして左右方向に配置し、該固定板６２の底面の左右両側からピン６２ａ・６２ａを前記固定孔４１ａ・４１ａ（４２ａ・４２ａ）の間隔に合わせて下方に垂設されている。該固定板６２の左右中央には貫通孔６２ｂが開口され、該貫通孔６２ｂにレバー軸６３が挿入されて、該レバー軸６３の上部に固定板６２が固設されている。該レバー軸６３の上部はＬ字状に折り曲げられて把手６３ａとしている。該レバー軸６３の下部は前記枢支孔４１ａ・４１ｂ・４２ｂ・４２ｂに挿入され、下端には座金を外嵌して抜け止め用のスナップピン等が係止されている。
そして、ブラケット４２の上板と下板の間のレバー軸６３上にはバネ６４が外嵌され、該バネ６４の下部は座金を介して固定ピンで係止され、該バネ６４によりレバー軸６３は下方に付勢されている。つまり、レバー軸６３に固定された固定板６２は取付板４１の上面に押しつけられるのである。
【００３５】
このように構成することにより、排雪板４０が取り付けられている状態では、ピン６２ａ・６２ａが上側（上板）の固定孔４１ａ・４１ａ・４２ａ・４２ａに嵌合されている。そして、排雪板４０の左右角度を変更する場合には、レバー軸６３の把手６３ａを持って上方へ引っ張り上げ、固定板６２とともに持ち上げると、ピン６２ａ・６２ａが固定孔４１ａ・４１ａ・４２ａ・４２ａより抜ける。この状態で排雪板４０を回動するとレバー軸６３を支点として回動して、所望の角度まで回動させて手を放すと、レバー軸６３はバネ６４の付勢力により下方へ摺動し、ピン６２ａ・６２ａがその位置で合致した固定孔４１ａ・４１ａ・４２ａ・４２ａに挿入して、取付板４１・４１とブラケット４２を固定し、排雪板４０を所望の角度に固定することができるのである。
このように、回動中心Ｏ１に設けた操作部材となるレバー軸６３を持ち上げ操作して、排雪板４０を所望の角度に回動して固定孔４１ａ・４１ａ・４２ａ・４２ａの位置が合った位置で手を放すだけで、排雪板４０を固定することができ、簡単な操作で排雪板４０の左右角度を変更して固定することができるのである。
【図面の簡単な説明】
【００３６】
【図１】側板を取り付けた排雪板を具備したホィール型の除雪機の側面図。
【図２】側板を取り付けた排雪板を具備したクローラ型の除雪機の側面図。
【図３】側板を取り付けた排雪板の側面図。
【図４】側板を取り付けた排雪板の斜視図。
【図５】側板を取り付けた排雪板を具備した除雪機の除雪状況を示した図。
【図６】側板を取り付けていない排雪板を具備した除雪機の除雪状況を示した図。
【図７】排雪板の前後回動取付部の第一実施例を示す平面図。
【図８】排雪板の前後回動取付部の第二実施例を示す平面図。
【図９】同じく側面図。
【図１０】レバー軸と固定板の正面図。
【符号の説明】
【００３７】
１０    除雪機
１１    除雪部
１７    ブロワ
１８    オーガハウジング
１９    掻込みオーガ
４０    排雪板
５２    係止部材
７０    側板
７０ｃ    下辺
８０    ガイド板
【図１】
2007126860.tif 000003
【図２】
2007126860.tif 000004
【図３】
2007126860.tif 000005
【図４】
2007126860.tif 000006
【図５】
2007126860.tif 000007
【図６】
2007126860.tif 000008
【図７】
2007126860.tif 000009
【図８】
2007126860.tif 000010
【図９】
2007126860.tif 000011
【図１０】
2007126860.tif 000012